(57)【特許請求の範囲】
【請求項１】
床板に複数の脚体を取り付けて当該床板を脚体で支持するように形成されたプール用床であって、
上記脚体は、床板に固定される枠板と、互いに先端部同士が凹凸係合し得るように設けられ、且つそれぞれ元端部同士が適宜な間隔を開けて枠板に回動自在に取り付けられた一対の脚板とからなり、枠板から所定角度回動させた上記脚板の先端部同士を凹凸係合させるとともに当該係合部をロック部材で固定し、脚体の先端部を接地させて立設し得るように構成されていて、
上記一対の脚板の少なくとも一方には、その側面に当該脚板の板厚の範囲内に収まるように設けられた潜り防止板受け部を有し、上記脚板の回動面に対し垂直な方向に隣り合う脚体間に、これら脚体の潜り防止部板受け部に両端を支持されて架け渡した潜り防止板が設置された構成を有するプール用床。
【発明の詳細な説明】
【０００１】
【発明の属する技術分野】
本発明は、プールの水深を浅くするためにプールの底に設置されるプール用床に関し、泳者が床下に潜り入ることができないようにした構造のものに関する。
【０００２】
【従来の技術】
プール用床として、例えば図８に示されているように、適宜な間隔を開けて並置されたアングル材１０１上に長尺床材１０２を並設してなる床板１０３を複数の籠状の脚体１０４で支持し得るように設け、さらに、水中に潜った泳者が脚体１０４相互の空隙から床板の下側に入り込まないように、隣接する脚体１０４相互間に潜り込み防止用の長尺板材１０５を架け渡して形成されたものが知られている（実公平２−２７０９４号公報）。
【０００３】
【発明が解決しようとする課題】
従来のプール用床は、既設のプール用床を解体し、各部材を保管庫などで保管する場合、脚体をより小さく分解することも、折り畳むこともできない。このため、多数のプール用床を積み重ねて保管することができず、広い保管スペースを必要とする問題点があった。
また、プール用床の設置や解体の度に、床板に脚体を取り付けたり、取り外したりする必要があり、脚体相互間に架け渡す潜り込み防止用の板材についても、設置や撤去に手間がかかるという問題点があった。
【０００４】
本発明は従来技術の有するこのような問題点に鑑み、床板に複数の脚体を取り付けて当該床板を脚体で支持するように形成されたプール用床において、不使用時には潜り込み防止用の板材を付けたまま小さく折り畳め、水平に積み重ねて保管することができるようにすることを課題とする。
【０００５】
【課題を解決するための手段】
上記課題を解決するため本発明のプール用床は、床板に複数の脚体を取り付けて当該床板を脚体で支持するように形成されたプール用床であって、上記脚体は、床板に固定される枠板と、互いに先端部同士が凹凸係合し得るように設けられ、且つそれぞれ元端部同士が適宜な間隔を開けて枠板に回動自在に取り付けられた一対の脚板とからなり、枠板から所定角度回動させた上記脚板の先端部同士を凹凸係合させるとともに当該係合部をロック部材で固定し、脚体の先端部を接地させて立設し得るように構成されていて、上記一対の脚板の少なくとも一方には、その側面に当該脚板の板厚の範囲内に収まるように設けられた潜り防止板受け部を有し、上記脚板の回動面に対し垂直な方向に隣り合う脚体間に、これら脚体の潜り防止部板受け部に両端を支持されて架け渡した潜り防止板が設置された構成を有するものである。
【０００６】
これによれば、潜り防止板を付けたままで脚体を組み立て及び折り畳み可能であり、また、潜り防止板が脚板の厚みの範囲内に収まるので、折り畳んだ際に上方に突出せず、プール用床全体をコンパクトに折り畳んで安定的に積み重ねておくことができる。
【０００７】
【発明の実施の形態】
本発明の好適な実施形態の一例について、図面を参照して説明する。
図１は本発明のプール用床を底側から見た脚体を立設させた状態と折り畳んだ状態の要部外観図、図２は脚体を底側から見た外観図、図３は潜り防止板を脚体に取り付けた状態を示す要部外観図、図４は脚体のロック部材の動作を説明するための図、図５は図４のＶ−Ｖ線断面図、図６は脚体の組み立てと折り畳みを説明するための図、図７は潜り防止板が取り付けられた状態で脚体を折り畳んだときの側面図である。
【０００８】
図１において、プール用床１は、プール底面嵩上げ用の床板２と、プール底上に設置されて床板２を適宜な高さに支持する複数の脚体３とからなり、脚体３をプール底にＶ字型に立設させて床板２を支持し（同図（Ａ））、不使用時には脚体３を折り畳め且つ積み重ねに便利なように折り畳んだ状態の上下両面が平坦な水平面となるように構成されている（同図（Ｂ））。
【０００９】
床板２は、中空部を有するプラスチック製の長尺状の床材４と、床材４を支持する支持部材としてのアングル材５とからなり、適宜な間隔を離して配置したアングル材５を一組みとして、複数組みをこれと平行に互いに適宜な間隔を開けて並置し、これらアングル材５の上にアングル材と交差する向きで複数本の床材４を敷設し、各々ボルトやリベット等の固着具（図示せず）を用いて締結固定し、適宜な長さ及び幅の水平な床面に形成してある。
上記対向配置した一組みのアングル材５は、脚体３の枠板６の長手方向の寸法と略同寸法、離して配置してあり、両アングル材５に脚体３を取り付け、固定できるように設けてある。
床材４とアングル材５との連結は、上記固着具を用いる他、部材同士の嵌合や係合による固定等の適宜な連結手段により行なうことができる。
【００１０】
脚体３は、図２に示されているように、頂面縁部に突部６ａを設けて矩形板状に形成された枠板６と、断面アーチ状に湾曲させてなる先端部同士が互いに凹凸係合し得るように設けられていて元端部を連結部としてなる同一の２つの脚板７，８とからなり、上記枠板６の長手方向両端辺部に軸孔（図示せず）を有する枢支用突起３１ａを複数個突設させた連結部６ｂ，６ｃを設け、これら両連結部６ｂ，６ｃに、嵌合溝３１ｂと軸孔（図示せず）を有する被枢支用突起３１ｃとを上記枢支用突起３１ａと対応させて形成した両脚板７，８の連結部７ａ，８ａを相互に嵌合させ、枢支用突起３１ａと被枢支用突起３１ｂとを軸棒３２により回動自在に軸支して取り付けてある。
【００１１】
脚体３の脚板７，８の両側面には、その板厚の範囲内に収まるように潜り防止部材受け部９が設けられている。
潜り防止板受け部９は、脚板７，８の側面を潜り防止板１０の断面形状に略合致するように開口させてなり、断面Ｗ字型の潜り防止板１０を脚板内に適宜な深さで挿入でき、且つこれを揺動不能に支持できるようになっている。潜り防止板１０を潜り防止板受け部９に差し入れた状態で、潜り防止板１０は脚板７，８内に収まり、外側に露出しない。
なお、潜り防止板受け部９は、潜り防止板１０を確実に支持し固定できるよう、潜り防止板１０の断面形状や寸法に合わせた適宜な形状に設けることができる。
【００１２】
また、脚板７，８の先端部は、図４に示されているように、短手幅を二等分する中心軸線Ｏを境とした一側に凹溝７ｂ，８ｂと突部７ｃ，８ｃが、他側に上記凹溝に嵌入し得る幅の突部７ｄ，８ｄと上記突部が嵌入し得る幅の凹溝７ｅ，８ｅがそれぞれ形成されてなり、両脚板７，８を向かい合わせにした状態で位置対応する突部７ｄ，８ｄと凹溝７ｂ，８ｂ、及び突部７ｃ，８ｃと凹溝７ｅ，８ｅとを凹凸嵌合させ得るように設けてある。なお、突部７ｄ，８ｄ及び突部７ｃ，８ｃの側部には、それぞれ開口７ｆ，８ｆ及び開口７ｇ，８ｇが、凹凸嵌合状態で同心上に重なるように形成してある。
【００１３】
上記突部７ｄ，８ｄは中空状に形成されており、この中空部に連ねて脚板の外面側に凹陥部７ｈ，８ｈを設け、この凹陥部内に両脚板の先端部同士の係合を固定するロック部材５０が装着してある。ロック部材５０は、図６及び図７に示されているように、底部に係止突条５０ａ，５０ａ（図５参照）が並設された籠形の枠部５０ｂに、上記係止突条と平行に延びる棒状突部５０ｃを先端部が枠部側縁５０ｄよりも外方に突出するよう一体に連設して形成してある。
凹陥部７ｈ，８ｈ内でロック部材５０は、棒状突部５０ｃを突部７ｄ，８ｄの中空部内に配し、突条５０ａ，５０ａを、脚板７，８の先端縁辺と平行に凹陥部内に形成された溝条７ｉ，８ｉに圧入係止して当該溝条に沿って枠部５０ｂ及び棒状突部５０ｃが摺動移動し得るように取り付けられ、枠部５０ｂが上記脚板の中心Ｏ側にあるときは棒状突部５０ｃが突部７ｄ，８ｄ内に位置し（図４（Ａ））、枠部５０ｂが脚板の縁部側にあるときは棒状突部５０ｃの先端部が突部７ｄ，８ｄの開口７ｆ，８ｆから凹溝７ｅ，８ｅに突出するように設けてある（図４（Ｂ））。
したがって、両脚板７，８を係合させる際に、棒状突部５０ｃの先端部が凹溝７ｅ，８ｅに突出しないようロック部材５０を操作し、この状態で上記両脚板の先端部同士を凹凸係合させ、その後、枠部５０ｂを脚板の縁部側に位置するようロック部材５０を摺動移動すれば、棒状突部５０ｃの先端部は、突部７ｄ，８ｄの開口７ｆ，８ｆと突部７ｃ，８ｃの開口７ｇ，８ｇとに挿通し、両突部を係止して先端部の凹凸係合を固定し、他方、枠部５０ｂを脚板の中心Ｏ側に位置するようロック部材５０を摺動移動すれば、棒状突部５０ｃは突部７ｇ，８ｇから抜出し、上記固定が解除され、凹凸係合していた両脚板７，８を回動自在とすることができる。
なお、脚板７，８は同一形状のものを用いてもよい。
【００１４】
潜り防止板１０は、断面Ｗ字型の長尺板であり、脚板７，８の回動面に垂直な方向、すなわちプール用床１の短手方向に隣り合う脚体３同士の間に架け渡され、図３に示されているように、端部を上記潜り防止板部受け部９に挿入した後、リベット等の固着具４０によって脚板７，８に一体に固着される。
【００１５】
本形態のプール用床１は、床板２に脚体３を取り付け、さらに床板２の短手方向の縁部に沿って隣接配置された脚体３，３間にの脚板７又は８に潜り防止板１０を架け渡して構成される。
図６に示されているように、脚板７，８を枠板６から起立させ、適宜角度に回動して互いの先端部同士を凹凸係合させ、ロック部材５０を操作し、脚板７，８を回動不能に固定すれば床板２は適宜高さで安定的に支持され、また、プール用床１縁部の脚体３，３間の間隙は潜り防止板１０により遮蔽される。
また、脚体３の脚板７，８を枠板６に向かって内方に回動すれば、潜り防止板１０を取り付けたままプール用床１全体を折り畳むことができる。
【００１６】
脚体３を折り畳んだ状態において、図７に示されているように、潜り防止板１０は下側の脚板８の板厚内に位置し、上方に突出しないため、上下の脚板７，８は、互いに平行に重ね合わされる。これによって、複数のプール用床１を水平に積み重ねておくことができる。
【００１７】
なお、図示した形態では、下側の脚板に潜り防止板が挿入されているが、上側の脚板に潜り防止板が挿入されている場合でも同様であって、いずれの場合でも、複数のプール用床を水平に積み重ねることが可能である。
また、一対の脚板の何れにの両側面に潜り防止板受け部を設けたが、隣接する脚体間に潜り防止板を架け渡す構成であれば、一方の脚板の両側面にのみ、又は片側の側面にのみ潜り防止板受け部を設けるようにしてもよい。
なお、脚板に潜り防止板受け部を有する脚体は、潜り防止板を設置するプール用床の短手方向又は長手方向の縁部に沿ってのみ配置されていればよい。
【００１８】
【発明の効果】
本発明のプール用床によれば、使用時には床板を脚体で安定的に支持すると共に、脚体間の間隙を潜り防止板で遮蔽することができ、また、不使用時には潜り込み防止用の板材を付けたまま小さく折り畳め、複数のプール用床を水平に積み重ねて保管することができる。
【図面の簡単な説明】
【図１】本発明のプール用床を底側から見た脚体を立設させた状態（Ａ）と折り畳んだ状態（Ｂ）の要部外観図である。
【図２】脚体を底側から見た外観図である。
【図３】潜り防止板を脚体に取り付けた状態を示す要部外観図である。
【図４】（Ａ）、（Ｂ）は脚体のロック部材の動作を説明するための図である。
【図５】図４のＶ−Ｖ線断面図である。
【図６】（Ａ）、（Ｂ）は脚体の組み立てと折り畳みを説明するための図である。
【図７】潜り防止板が取り付けられた状態で脚体を折り畳んだときの側面図である。
【図８】従来のプール用床を示す外観図である。
【符号の説明】
1    プール用床
2    床板
3    脚体
4    床材
5    アングル材
6    枠板
7,8  脚板
9    潜り防止板受け部
10    潜り防止板
【図１】
0003745148.tif 000002
【図２】
0003745148.tif 000003
【図３】
0003745148.tif 000004
【図４】
0003745148.tif 000005
【図５】
0003745148.tif 000006
【図６】
0003745148.tif 000007
【図７】
0003745148.tif 000008
【図８】
0003745148.tif 000009